(57)【特許請求の範囲】
【請求項１】
多孔芯材に表面板を接着固定するとともに該表面板を，シリコン成形型を用いて樹脂とガラス又はカーボン繊維を積層成形することによって裏面に凹凸面が形成されたＦＲＰ成形板としたドア，門扉等開口部材のハニカム構造パネルであって，上記ＦＲＰ成形板の多孔芯材に対する接着固定を，該ＦＲＰ成形板の凹凸面にハケ塗り塗付した発泡ウレタン樹脂の発泡接着層により該ＦＲＰ成形板裏面の凹凸面と多孔芯材の空隙を埋めるとともに該発泡樹脂層を多孔芯材の孔空間に食い込み状に入り込ませることによってハケ塗り塗付の３次元的接着固定としてなることを特徴とする開口部材のハニカム構造パネル。
【請求項２】
上記多孔芯材を，蜂の巣状，桝目格子状等同一形状の多孔に形成したペーパーハニカム芯材としてなることを特徴とする請求項１に記載のハニカム構造パネル。
【発明の詳細な説明】
【０００１】
【発明の属する技術分野】
本発明は，ドア，門扉等の開口部材として好適に用いられるハニカム構造パネルに関する。
【０００２】
【従来の技術】
ハニカム構造を有するこの種パネルとして，例えばバルサ材，クラフト紙等の多孔芯材に，例えばアルミニウム合金，鋼板，メラミン化粧板等の表面板を接着固定したものが知られており，この場合，表面板の接着固定にはビニール系，エポキシ系，ポリイミド系等の接着剤が用いられるものとされている。
【０００３】
【発明が解決しようとする課題】
例えば柾目等の木理模様を精密に型取りしたシリコン樹脂の成形型を用いて，樹脂とガラス繊維やカーボン繊維を吹き付けやハケ塗りの重ね塗りによって所定厚さに順次積層して成形し，必要に応じて仕上げ塗装することによって，ＦＲＰの表面板として，木質感に富む上，強度に優れたものとすることができ，従ってこのＦＲＰの表面板は，ドア，門扉等デザインが重視されるとともに開閉衝撃を継続的に受ける等，強度を必要とする開口部材の表面板として，好適に用い得る材料として注目される。
【０００４】
しかし乍ら，ＦＲＰの表面板を用いて上記ハニカム構造のパネルとした場合，開閉テストを繰り返す間に，開閉時の衝撃によって，ＦＲＰの表面板が多孔芯材から部分的に剥離する傾向を生じ易く，このため，特に頻繁な開閉を前提とし，開閉衝撃を長期に亘って受け続ける，この種ドア，門扉等開口部材に用いることは，パネルとしての強度と耐久性の確保に問題を残すことになる。
【０００５】
本発明はかかる事情に鑑みてなされたもので，その解決課題とする処は，ＦＲＰの表面板を，ドア，門扉等開口部材に用いて，強度と耐久性を十分に確保し得るようにした開口部材のハニカム構造パネルを提供するにある。
【０００６】
【課題を解決するための手段】
そこで上記ＦＲＰ表面板と多孔芯材との剥離の原因を追求すると，ＦＲＰ表面板が，その成形を，成形型に対する上記吹き付けやハケ塗りの重ね塗りで行うことにより，裏面側にこれら重ね塗りに起因する樹脂の塗りムラが生じ，裏面，即ち接着面に凹凸面が形成されるに至る一方，多孔芯材が均一の厚さを有することによって，ＦＲＰ表面板と多孔芯材間に非接触部分が生じるため，接着を全面に亘って均一に行い難いことにより，開閉衝撃を受けて，非接触部分の近傍から剥離が発生し，次第にこれが拡大していくためであるとの知見を得た。
【０００７】
本発明はかかる知見から，ＦＲＰの表面板における裏面に凹凸面が存在すること，多孔芯材の厚さが均一であることを前提とし，ＦＲＰ表面板の接着固定を，ＦＲＰ表面板の裏面にハケ塗りによって塗布した発泡性ウレタン樹脂の発泡接着層により，ＦＲＰ表面板側の凹凸面を埋めるとともに多孔芯材の孔空間に入り込ませることによって，全面に亘るハケ塗り塗付の３次元的接着を可能とし，これによってＦＲＰ成形板の剥離の可能性を解消し，強度と耐久性とを確保するようにしたものであって，即ち請求項１に記載の発明は，これを，多孔芯材に表面板を接着固定するとともに該表面板を，シリコン成形型を用いて樹脂とガラス又はカーボン繊維を積層成形することによって裏面に凹凸面が形成されたＦＲＰ成形板としたドア，門扉等開口部材のハニカム構造パネルであって，上記ＦＲＰ成形板の多孔芯材に対する接着固定を，該ＦＲＰ成形板の凹凸面にハケ塗り塗付した発泡ウレタン樹脂の発泡接着層により該ＦＲＰ成形板裏面の凹凸面と多孔芯材の空隙を埋めるとともに該発泡樹脂層を多孔芯材の孔空間に食い込み状に入り込ませることによってハケ塗り塗付の３次元的接着固定としてなることを特徴とする開口部材のハニカム構造パネルとし，請求項２に記載の発明は，上記に加えて，開口部材としてのコストと重量を可及的に低減し得るように，これを，上記多孔芯材を，蜂の巣状，桝目格子状等同一形状の多孔に形成したペーパーハニカム芯材としてなることを特徴とする請求項１に記載のハニカム構造パネルとし，これらをそれぞれ発明の要旨として上記課題解決の手段としたものである。
【０００８】
【発明の実施の形態】
以下図面の例に従って本発明を更に具体的に説明すれば，Ａは門扉であって，該門扉Ａは，多孔芯材２にＦＲＰ表面板３を接着固定したハニカム構造パネル１によるものとしてある。
【０００９】
本例にあって多孔芯材２は，これを，例えば桝目格子状の同一形状の多孔に形成したペーパーハニカム芯材としてあり，このとき該ペーパーハニカム芯材は，例えばクラフト紙を用い，これを縦横に嵌め合せ連結することによって折畳み伸縮自在にして，例えば１５〜４０mm，本例において２１mm程度の均一厚さのものとしてある。
【００１０】
一方，本例にあってＦＲＰ表面板３は，吊元側を低く，自由端側を高くした柾目板連結のデザインにして外周を前後対向方向にそれぞれ折り返し状とし，所定位置に装飾用の金具４を後付け設置したものとしてあり，このときＦＲＰ表面板３の上記柾目板連結状のデザインは，例えば表面を焼いた後，ブラシで炭化部分を除去し，柾目模様を明瞭に表わした柾目板を，低細溝を介して並置して，シリコン樹脂で精密に型取りし，このシリコン樹脂の成形型を用いて，これに，例えば液状不飽和ポリエステル樹脂とガラス繊維を混合し，これを吹き付け又はハケ塗りによって重ね塗りを行って，表面に上記柾目模様の柾目板連結状のデザインを精密に写し取って，表面に着色の塗装を施したものとし，平均肉厚さ２〜５mm，本例において，例えば３mm程度としたものとしてある（図面において柾目模様の記載はこれを省略した）。
【００１１】
ハニカム構造パネル１は，上記ペーパーハニカム芯材の多孔芯材２に，ＦＲＰ表面板３を接着固定して，いわゆるサンドイッチパネルとして構成してあるが，このとき上記ＦＲＰ表面板３の接着固定は，これを該ＦＲＰ表面板３にハケ塗り塗布した発泡性ウレタン樹脂の発泡接着層５によって行ったものとしてある。
【００１２】
即ちＦＲＰ表面板３の接着固定は，多孔芯材２の前後に一対のＦＲＰ表面板３の裏面に，二液混合型の発泡性ウレタン樹脂をハケ塗りによって塗布し，その発泡によって多孔芯材２との接着をＦＲＰ表面板３の全体に亘って強固に行うものとしてある。
【００１３】
ＦＲＰ表面板３は，上記シリコン樹脂の成形型にＦＲＰ原料を重ね塗りするから，表面はシリコン樹脂の成形型に応じて精密な成形ができる一方，裏面には，重ね塗りのムラやＦＲＰ原料，特に樹脂の流れ，硬化収縮等による凹凸面が生じ易いが，上記発泡性ウレタン樹脂の塗布発泡により形成される発泡接着層５が，図５にそのモデルを示すように，ＦＲＰ表面板３の凹凸の裏面と均一厚さの多孔芯材２間の空隙を埋めるとともに多孔芯材２の孔空間に喰い込み状に入り込み，全面に亘るハケ塗り塗付の３次元的接着を行うに至り，ハニカム構造パネル１としてＦＲＰ表面板３の剥離の可能性を解消し，強度と耐久性とを高度に確保することができ，また上記発泡性ウレタン樹脂は，発泡やその倍率の管理等が容易であり，使い勝手がよく，上記ハニカム構造パネル１の発泡接着層５の形成に適している。
【００１４】
図中６は門扉Ａの把手，７はＦＲＰ表面板３間の多孔芯材２外側の門扉Ａにおける吊元側と自由端側の端部に装着した，例えばアルミ押出材製の補強枠，８は門扉Ａの吊元側の開閉用ヒンジの取付枠，９はその補強枠７に対する固定ネジ，１０は水抜き孔である。
【００１５】
図示した例は以上のとおりとしたが，多孔芯材を，蜂の巣状等同一形状の多孔に形成したペーパーハニカム芯材とし，或いはバルサ材製，アルミ製，鋼製等による適宜の材料によるものとすること，ハニカム構造パネルをドア等の，上記門扉以外の開口部材に用いること，ＦＲＰ表面板にカーボン繊維を用いること等を含めて，多孔芯材，ＦＲＰ表面板，発泡接着層，これらによるハニカム構造パネルの各具体的構造，形状，材質，これらの関係，これらに対する付加等は，上記発明の要旨に反しない限り，様々な形態のものとすることができる。
【００１６】
【発明の効果】
ＦＲＰの表面板における裏面に凹凸面が存在すること，多孔芯材の厚さが均一であることを前提とし，ＦＲＰ表面板の接着固定を，ＦＲＰ表面板の裏面にハケ塗りによって塗布した発泡性ウレタン樹脂の発泡接着層により，ＦＲＰ表面板側の凹凸面を埋めるとともに多孔芯材との間で，全面に亘るハケ塗り塗付の３次元的接着を可能とし，これによって剥離の可能性を解消し，強度と耐久性とを確保するようにした。
【００１７】
本発明は以上のとおりに構成したので，請求項１に記載の発明は，ＦＲＰ表面板の裏面にハケ塗り塗付した発泡接着層が，ＦＲＰ表面板の凹凸の裏面と多孔芯材間の空隙を埋めるとともに多孔芯材の孔空間に喰い込み状に入り込み，全面に亘るハケ塗り塗付の３次元的接着を行うに至り，ＦＲＰ表面板の剥離の可能性を解消し，頻繁な開閉衝撃を長期に亘って受け続けるドア，門扉等の開口部材にＦＲＰ表面板を用いて，強度と耐久性とを十分に確保した開口部材のハニカム構造パネルを提供することができ，請求項２に記載の発明は，上記に加えて，開口部材としてのコストと重量を可及的に低減し得るものとすることができる。
【図面の簡単な説明】
【図１】  門扉の正面図である。
【図２】  門扉の底面図である。
【図３】  門扉の吊元側の側面図である。
【図４】  門扉の横断面図である。
【図５】  発泡接着層による接着のモデルを示す部分拡大図である。
【符号の説明】
Ａ  門扉
１  ハニカム構造パネル
２  多孔芯材
３  ＦＲＰ表面板
５  発泡接着層
【図１】
0003764579.tif 000002
【図２】
0003764579.tif 000003
【図３】
0003764579.tif 000004
【図４】
0003764579.tif 000005
【図５】
0003764579.tif 000006